(57)【要約】【課題】本発明は、製本処理において紙束を挟む外装用紙への画像形成に際し、製本後に背表紙となる領域への画像形成を行う画像形成装置、画像形成装置の制御方法、画像形成装置の制御プログラム及び記憶媒体に関する。【解決手段】画像形成装置１は、紙束をその紙面に垂直な方向に一枚の外装用紙で挟んで製本する製本機２が接続され、主制御部１１１が、製本された外装用紙において背表紙となる領域の幅であって紙束の厚さ方向の幅に関する背表紙幅情報を製本前に取得し、画像処理部１１２で、該取得された背表紙幅情報を用いて製本された外装用紙において背表紙となる領域を含む画像形成領域を特定して、該特定された画像形成領域に対して、エンジン制御部１１５を介してプリンタエンジン１２０で画像形成を実行する。【選択図】図１
2008268818.tif 000002
【特許請求の範囲】
【請求項１】
紙束をその紙面に垂直な方向に一枚の外装用紙で挟んで製本する製本機と接続可能な画像形成装置であって、前記製本された外装用紙において背表紙となる領域の幅であって前記紙束の厚さ方向の幅に関する背表紙幅情報を製本前に取得する背表紙幅情報取得手段と、前記取得された背表紙幅情報を用いて前記製本された外装用紙において背表紙となる領域を含む画像形成領域を特定する画像形成領域特定手段と、前記特定された画像形成領域に対して画像形成を実行する画像形成手段とを有することを特徴とする画像形成装置。
【請求項２】
前記画像形成装置本体に搬送する用紙を収容する給紙トレイを更に有し、前記画像形成手段は、前記給紙トレイから搬送された用紙に対して画像形成を実行することにより前記紙束を生成し、前記背表紙幅情報取得手段は、前記紙束に含まれる用紙の枚数と前記用紙の厚さとに基づいて前記背表紙幅情報を取得することを特徴とする請求項１に記載の画像形成装置。
【請求項３】
夫々異なる種類の用紙を格納する複数の給紙トレイと、前記複数の給紙トレイに格納された用紙の厚さ情報を格納する用紙情報テーブルとを有し、前記背表紙幅情報取得手段は、前記給紙トレイに格納された用紙への画像形成実行命令に応じて前記用紙情報テーブルから当該画像形成動作に用いられる用紙の厚さ情報を取得することを特徴とする請求項２に記載の画像形成装置。
【請求項４】
前記用紙の厚さを検出する用紙厚さ検出手段を更に有し、前記背表紙幅情報取得手段は、前記検出された用紙の厚さに基づいて前記背表紙幅情報を決定することを特徴とする請求項２に記載の画像形成装置。
【請求項５】
前記画像形成手段は、前記用紙に対する画像形成実行命令に含まれる画像情報から画像形成情報を生成する画像処理手段と、前記画像形成情報に基づいて画像形成を実行する画像形成実行手段とを有し、前記背表紙幅情報取得手段は、前記画像形成情報の生成結果に基づいて前記紙束に含まれる用紙の枚数を特定することを特徴とする請求項２乃至４いずれか１項に記載の画像形成装置。
【請求項６】
前記画像形成装置に接続された前記製本機の種類に応じて、前記画像形成情報の生成を完了した後、前記紙束の画像形成を先に実行するか前記外装用紙の画像形成を先に実行するか判断することを特徴とする請求項５に記載の画像形成装置。
【請求項７】
前記紙束の画像形成において用いられる前記用紙の枚数をカウントする手段を更に有し、前記背表紙幅情報取得手段は、前記カウントされた用紙の枚数に基づいて前記紙束に含まれる用紙の枚数を特定することを特徴とする請求項２乃至４いずれか１項に記載の画像形成装置。
【請求項８】
前記背表紙幅情報取得手段は、前記画像形成装置に接続された装置であって前記紙束の厚さを検出する紙束厚さ検出手段を有する他の装置から当該紙束の厚さ情報を取得し、前記取得した紙束の厚さ情報に基づいて前記背表紙幅情報を決定することを特徴とする請求項１に記載の画像形成装置。
【請求項９】
前記外装用紙への画像形成実行命令において指定されている用紙のサイズが前記特定された画像形成領域のサイズを満たさない場合、警告を発することを特徴とする請求項１乃至８いずれか１項に記載の画像形成装置。
【請求項１０】
前記取得された背表紙幅情報に基づく情報を視覚的に表示する表示手段と、前記表示された情報に基づいてユーザが背表紙幅修正情報を入力する入力手段とを更に有し、前記画像形成領域特定手段は、前記取得された背表紙幅情報と前記入力された背表紙幅修正情報とに基づいて前記画像形成領域を特定することを特徴とする請求項１乃至９いずれか１項に記載の画像形成装置。
【請求項１１】
前記背表紙幅情報取得手段は、前記背表紙幅修正情報に関する情報を格納し、前記格納された背表紙幅修正情報に基づいて前記取得した背表紙幅情報を修正することを特徴とする請求項１０に記載の画像形成装置。
【請求項１２】
前記画像形成装置は、前記背表紙用の画像情報のサイズと前記画像形成領域特定手段によって特定された背表紙用画像形成領域のサイズを比較して、該背表紙用画像情報の方が大きいと、該背表紙用画像情報のうち該背表紙用画像形成領域に対応する画像情報部分のみを取り出して前記画像形成手段に該背表紙用画像形成領域に画像形成させる制御手段を備えていることを特徴とする請求項１から請求項１１のいずれかに記載の画像形成装置。
【請求項１３】
前記画像形成装置は、前記背表紙用の画像情報のサイズと前記画像形成領域特定手段によって特定された背表紙用画像形成領域のサイズを比較して、該背表紙用画像情報のサイズと該背表紙用画像形成領域のサイズが異なると、該背表紙用画像情報を該背表紙用画像形成領域のサイズに合わせて変倍処理し、該変倍処理した背表紙用画像情報を用いて前記画像形成手段に該背表紙用画像形成領域に画像形成させる制御手段を備えていることを特徴とする請求項１から請求項１１のいずれかに記載の画像形成装置。
【請求項１４】
前記画像形成装置は、前記画像形成領域特定手段によって特定された背表紙用画像形成領域のサイズに基づいて前記背表紙用画像情報のフォントサイズを選択するフォントサイズ選択手段を備えていることを特徴とする請求項１から請求項１３のいずれかに記載の画像形成装置。
【請求項１５】
紙束をその紙面に垂直な方向に一枚の外装用紙で挟んで製本する製本機と接続可能な画像形成装置の制御方法であって、前記製本された外装用紙において背表紙となる領域の幅であって前記紙束の厚さ方向の幅に関する背表紙幅情報を製本前に取得し、前記取得した背表紙幅情報を用いて前記製本された外装用紙において背表紙となる領域を含む画像形成領域を特定し、前記特定された画像形成領域に対して画像形成を実行することを特徴とする画像形成装置の制御方法。
【請求項１６】
画像形成装置に請求項１から請求項１４のいずれかに記載の画像形成装置として機能させること、または、請求項１５に記載の画像形成装置の制御方法をコンピュータが制御可能にプログラミングしたことを特徴とする画像形成装置の制御プログラム。
【請求項１７】
請求項１６に記載の画像形成装置の制御プログラムを記憶したことを特徴とする記憶媒体。
【発明の詳細な説明】
【技術分野】
【０００１】
本発明は、画像形成装置、画像形成装置の制御方法、画像形成装置の制御プログラム及び記憶媒体に関し、詳細には、紙束を製本する製本機を接続する画像形成装置において、製本の際に紙束を挟む表紙への画像形成が可能な画像形成装置に関する。
【背景技術】
【０００２】
近年、情報の電子化が推進される傾向にあり、電子化された情報の出力に用いられるプリンタやファクシミリ、書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。また、プリンタや複写機として画像形成を実行した後、製本処理を実行する製本機を接続し、利便性を高めることが行われている。画像形成装置が出力した複数枚の文書（シート）を外装用紙で挟んで（包んで）製本する際、この外装用紙に対しても画像形成を実行出来ると良い。その際に問題となるのが、背表紙となる部分の処理である。この様な問題に対して、製本対象として出力したシート束の厚さを演算し、その厚さ及び製本時の折り目付け高さに基づいて背表紙となる部位を余白として画像形成を実行する方法が提案されている（特許文献１参照）。
【０００３】
【特許文献１】特開２００５−３３８４１６号公報
【発明の開示】
【発明が解決しようとする課題】
【０００４】
しかしながら、上記特許文献記載の従来技術にあっては、製本後に背表紙となる部分を余白とするものであり、背表紙への画像形成を目的としたものではない。また、特許文献１においては、主に製本機側の処理に重点をおいた技術を開示しており、本件が要旨とする画像形成装置としての技術とはその目的が異なる。従って、従来技術では表紙となる用紙に画像形成を実行する場合に、背表紙に画像形成を実行することが不可能であった。
【０００５】
そこで、本発明は、上述した実情を考慮してなされたもので、製本処理において紙束を挟む外装用紙への画像形成に際し、製本後に背表紙となる領域への画像形成を適切に行うことのできる画像形成装置、画像形成装置の制御方法、画像形成装置の制御プログラム及び記憶媒体を提供することを目的としている。
【０００６】
また、本発明は、外装用紙用の画像情報と外装用紙の画像形成領域とのサイズが異なる場合にも、外装用紙の該画像情報の画像形成領域への画像形成、特に背表紙の画像形成を適切に行う画像形成装置、画像形成装置の制御方法、画像形成装置の制御プログラム及び記憶媒体を提供することを目的としている。
【課題を解決するための手段】
【０００７】
請求項１記載の発明の画像形成装置は、紙束をその紙面に垂直な方向に一枚の外装用紙で挟んで製本する製本機と接続可能な画像形成装置であって、前記製本された外装用紙において背表紙となる領域の幅であって前記紙束の厚さ方向の幅に関する背表紙幅情報を製本前に取得する背表紙幅情報取得手段と、前記取得された背表紙幅情報を用いて前記製本された外装用紙において背表紙となる領域を含む画像形成領域を特定する画像形成領域特定手段と、前記特定された画像形成領域に対して画像形成を実行する画像形成手段とを有することにより、上記目的を達成している。
【０００８】
また、請求項２に記載の発明は、請求項１に記載の画像形成装置において、前記画像形成装置本体に搬送する用紙を収容する給紙トレイを更に有し、前記画像形成手段は、前記給紙トレイから搬送された用紙に対して画像形成を実行することにより前記紙束を生成し、前記背表紙幅情報取得手段は、前記紙束に含まれる用紙の枚数と前記用紙の厚さとに基づいて前記背表紙幅情報を取得することを特徴とする。
【０００９】
また、請求項３に記載の発明は、請求項２に記載の画像形成装置において、夫々異なる種類の用紙を格納する複数の給紙トレイと、前記複数の給紙トレイに格納された用紙の厚さ情報を格納する用紙情報テーブルとを有し、前記背表紙幅情報取得手段は、前記給紙トレイに格納された用紙への画像形成実行命令に応じて前記用紙情報テーブルから当該画像形成動作に用いられる用紙の厚さ情報を取得することを特徴とする。
【００１０】
また、請求項４に記載の発明は、請求項２に記載の画像形成装置において、前記用紙の厚さを検出する用紙厚さ検出手段を更に有し、前記背表紙幅情報取得手段は、前記検出された用紙の厚さに基づいて前記背表紙幅情報を決定することを特徴とする。
【００１１】
また、請求項５に記載の発明は、請求項２乃至４いずれか１項に記載の画像形成装置において、前記画像形成手段は、前記用紙に対する画像形成実行命令に含まれる画像情報から画像形成情報を生成する画像処理手段と、前記画像形成情報に基づいて画像形成を実行する画像形成実行手段とを有し、前記背表紙幅情報取得手段は、前記画像形成情報の生成結果に基づいて前記紙束に含まれる用紙の枚数を特定することを特徴とする。
【００１２】
また、請求項６に記載の発明は、請求項５に記載の画像形成装置において、前記画像形成装置に接続された前記製本機の種類に応じて、前記画像形成情報の生成を完了した後、前記紙束の画像形成を先に実行するか前記外装用紙の画像形成を先に実行するか判断することを特徴とする。
【００１３】
また、請求項７に記載の発明は、請求項２乃至４いずれか１項に記載の画像形成装置において、前記紙束の画像形成において用いられる前記用紙の枚数をカウントする手段を更に有し、前記背表紙幅情報取得手段は、前記カウントされた用紙の枚数に基づいて前記紙束に含まれる用紙の枚数を特定することを特徴とする。
【００１４】
また、請求項８に記載の発明は、請求項１に記載の画像形成装置において、前記背表紙幅情報取得手段は、前記画像形成装置に接続された装置であって前記紙束の厚さを検出する紙束厚さ検出手段を有する他の装置から当該紙束の厚さ情報を取得し、前記取得した紙束の厚さ情報に基づいて前記背表紙幅情報を決定することを特徴とする。
【００１５】
また、請求項９に記載の発明は、請求項１乃至８いずれか１項に記載の画像形成装置において、前記外装用紙への画像形成実行命令において指定されている用紙のサイズが前記特定された画像形成領域のサイズを満たさない場合、警告を発することを特徴とする。
【００１６】
また、請求項１０に記載の発明は、請求項１乃至９いずれか１項に記載の画像形成装置において、前記取得された背表紙幅情報に基づく情報を視覚的に表示する表示手段と、前記表示された情報に基づいてユーザが背表紙幅修正情報を入力する入力手段とを更に有し、前記画像形成領域特定手段は、前記取得された背表紙幅情報と前記入力された背表紙幅修正情報とに基づいて前記画像形成領域を特定することを特徴とする。
【００１７】
また、請求項１１に記載の発明は、請求項１０に記載の画像形成装置において、前記背表紙幅情報取得手段は、前記背表紙幅修正情報に関する情報を格納し、前記格納された背表紙幅修正情報に基づいて前記取得した背表紙幅情報を修正することを特徴とする。
【００１８】
さらに、請求項１から請求項１１のいずれかに記載の画像形成装置において、例えば、請求項１２に記載するように、前記画像形成装置は、前記背表紙用の画像情報のサイズと前記画像形成領域特定手段によって特定された背表紙用画像形成領域のサイズを比較して、該背表紙用画像情報の方が大きいと、該背表紙用画像情報のうち該背表紙用画像形成領域に対応する画像情報部分のみを取り出して前記画像形成手段に該背表紙用画像形成領域に画像形成させる制御手段を備えていてもよい。
【００１９】
また、請求項１から請求項１１のいずれかに記載の画像形成装置において、例えば、請求項１３に記載するように、前記画像形成装置は、前記背表紙用の画像情報のサイズと前記画像形成領域特定手段によって特定された背表紙用画像形成領域のサイズを比較して、該背表紙用画像情報のサイズと該背表紙用画像形成領域のサイズが異なると、該背表紙用画像情報を該背表紙用画像形成領域のサイズに合わせて変倍処理し、該変倍処理した背表紙用画像情報を用いて前記画像形成手段に該背表紙用画像形成領域に画像形成させる制御手段を備えていてもよい。
【００２０】
さらに、請求項１から請求項１３のいずれかに記載の画像形成装置において、例えば、請求項１４に記載するように、前記画像形成装置は、前記画像形成領域特定手段によって特定された背表紙用画像形成領域のサイズに基づいて前記背表紙用画像情報のフォントサイズを選択するフォントサイズ選択手段を備えていてもよい。
【００２１】
また、請求項１５記載の発明の画像形成装置の制御方法は、紙束をその紙面に垂直な方向に一枚の外装用紙で挟んで製本する製本機と接続可能な画像形成装置の制御方法であって、前記製本された外装用紙において背表紙となる領域の幅であって前記紙束の厚さ方向の幅に関する背表紙幅情報を製本前に取得し、前記取得した背表紙幅情報を用いて前記製本された外装用紙において背表紙となる領域を含む画像形成領域を特定し、前記特定された画像形成領域に対して画像形成を実行することにより、上記目的を達成している。
【００２２】
さらに、請求項１６記載の発明の画像形成装置の制御プログラムは、画像形成装置に請求項１から請求項１４のいずれかに記載の画像形成装置として機能させること、または、請求項１５に記載の画像形成装置の制御方法をコンピュータが制御可能にプログラミングしたことにより、上記目的を達成している。
【００２３】
また、請求項１７記載の発明の記憶媒体は、請求項１６に記載の画像形成装置の制御プログラムを記憶したことにより、上記目的を達成している。
【発明の効果】
【００２４】
本発明によれば、製本処理において紙束を挟む外装用紙への画像形成に際し、製本後に背表紙となる領域への画像形成が可能となる。
【００２５】
また、本発明によれば、外装用紙用の画像情報と外装用紙の画像形成領域とのサイズが異なる場合にも、少なくとも、背表紙用画像情報が背表紙の画像形成領域からはみ出すのを防止して、背表紙の画像形成領域への画像形成を適切に行うことができ、外装用紙の画像品質を向上させることができる。
【発明を実施するための最良の形態】
【００２６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【００２７】
以下、図面を参照して、本発明の実施形態を詳細に説明する。本発明は、紙束を製本する製本機を接続可能な画像形成装置において、製本対象である紙束の厚さに係る情報を取得可能であり、取得した厚さ情報に基づいて製本後に背表紙となる領域を特定し、この特定された領域への画像形成を実行可能とするものである。
【実施例１】
【００２８】
図１は、本実施例に係る画像読取装置１及び画像形成装置１に接続されている製本機２の全体構成を示すブロック図である。図１に示すように、本実施例に係る画像形成装置１は、ＡＤＦ（Auto Document Feeder：原稿自動搬送装置）１０１、撮像部１０２及び排紙トレイ１０３を含むスキャナユニット１００、コントローラ１１０、プリンタユニット１２０、ホストＩ／Ｆ１３０及びディスプレイパネル１４０を有する。また、コントローラ１１０は、主制御部１１１、画像処理部１１２、用紙テーブル１１３、入力制御部１１４、エンジン制御部１１５及び後処理制御部１１６を有する。また、プリンタユニット１２０は、給紙トレイ１２１、プリントエンジン１２２及び排紙トレイ１２３を有する。更に、本実施例に係る製本機２は、コントローラ２０１、製本エンジン２０２及び排出トレイ２０３を有する。尚、図１においては、電気的接続を実線の矢印で示しており、用紙若しくは文書束の流れを破線の矢印で示している。
【００２９】
ホストＩ／Ｆ１３０は、画像形成装置１がＬＡＮ等の回線を介してホスト装置等の他の機器と通信する際のインターフェースである。ホスト装置が送信した印刷ジョブは、ホストＩ／Ｆ１３０を介してコントローラ１１０に入力され、コントローラ１１０の制御に従って印刷ジョブに基づいた画像形成処理が実行される。ディスプレイパネル１４０は、画像形成装置１の状態を視覚的に表示する出力インターフェースであると共に、タッチパネルとしてユーザが画像形成装置１を直接操作する際の入力インターフェースでもある。
【００３０】
コントローラ１１０は、ソフトウェアとハードウェアとの組み合わせによって構成される。具体的には、ＲＯＭ（Read Only Memory）やＥＥＰＲＯＭＥＥＰＲＯＭ（Electronically Erasable and Programmable Read Only Memory ）並びに磁気ディスクや光学ディスク等の不揮発性記憶媒体に格納されたファームウェア等の制御プログラムが、ＤＲＡＭ（Dynamic Random Access Memory）等の揮発性メモリ（以下、メモリ）にロードされ、ＣＰＵ（Central Processing Unit ）の制御に従って構成されるソフトウェア制御部と集積回路などのハードウェアとによってコントローラ１１０が構成される。
【００３１】
主制御部（制御手段）１１１は、コントローラ１１０に含まれる各制御部全体を制御する役割を担い、他の制御部が受信若しくは生成した信号に基づいてコントローラ１１０の各部に命令を与える。画像処理部（画像処理手段）１１２は、入力制御部１１４が受信した印刷ジョブに含まれる画像情報に基づき、画像処理を実行して画像形成情報を生成する。用紙テーブル（用紙情報テーブル）１１３は、給紙トレイ１２１に格納されている用紙についての情報を格納している。図２に、用紙テーブル１１３に含まれる情報の例を示す。給紙トレイ１２１は、格納している用紙の種類に応じて複数設けられており、用紙テーブル１１３は、夫々の給紙トレイ１２１に格納されている用紙のサイズ及び用紙の厚さに係る情報並びにそれらを識別するＩＤを保持している。図２に示すように、用紙サイズは“Ａ４”や、“Ｂ５”等のサイズ指定の他、“Ａ３拡”といった指定や、“α×β”というような数値を直接指定する方法等で指定されている。また、用紙厚さは、〜ｍｍのように指定されている。入力制御部１１４は、ホストＩ／Ｆ１３０を介して入力される印刷ジョブやディスプレイパネル１４０からユーザによって入力する操作情報を主制御部１１１に入力すると共に、主制御部の命令に従ってディスプレイパネル１４０に情報表示を行い若しくはホストＩ／Ｆ１３０を介してホスト装置に情報を送信する。
【００３２】
エンジン制御部１１５は、プリンタユニット（画像形成手段）１２０及びスキャナユニット１００を制御若しくは駆動する駆動手段としての役割を担う。即ち、エンジン制御部１１５は、主制御部１１１の命令に従って給紙トレイ１２１に含まれる給紙ローラや搬送ローラを駆動し、プリントエンジン１２２に用紙を搬送する。また、エンジン制御部１１５は、画像処理部１１２が生成した画像形成情報に基づいてプリントエンジン１２２を駆動し、用紙に対して画像形成を実行して画像形成実行手段として機能する。プリントエンジン１２２によって画像形成が施された文書は、印刷ジョブにおいて製本処理が指定されていれば製本エンジン２０２に搬送され、指定されていなければ排紙トレイ１２３に排紙される。また、エンジン制御部１１５は、主制御部１１１の命令に従ってＡＤＦ１０１に含まれる原稿給紙台及び搬送ローラを駆動し、撮像部１０２に読み取り原稿を搬送すると共に、撮像部１０２を駆動して原稿の光学情報を電気信号に変換し、画像情報を生成する。撮像部１０２において撮像された原稿は排紙トレイ１０３に排出される。
【００３３】
後処理制御部１１６は、画像形成装置１に接続される製本機２のコントローラ２０１との間で情報をやりとりする。入力制御部１１４が受信した印刷ジョブにおいて後処理である製本処理が指定されている場合、主制御部１１１の制御に従って後処理制御部１１６がコントローラ２０１に製本ジョブを送信する。コントローラ２０１は、後処理制御部１１６から受信した製本ジョブに基づき、製本エンジン２０２を駆動して製本処理を実行する。製本エンジン２０２によって製本された結果物は排出トレイ２０３に排出される。
【００３４】
次に、本実施例に係る画像形成装置１の通常動作について説明する。画像形成装置１がプリンタとして動作する場合は、まず、入力制御部１１４がホストＩ／Ｆ１３０に接続されたＵＳＢ（Universal Serial Bus）やＬＡＮ（Local Area Network）を介して印刷ジョブを受信すると、画像処理部１１２が主制御部１１１の命令に従い、印刷ジョブに含まれる画像情報に基づいて画像形成情報を生成する。エンジン制御部１１５はプリントエンジン１２２及び給紙トレイ１２１を制御し、給紙トレイ１２１からプリントエンジン１２２に印刷用紙を搬送する。また、エンジン制御部１１５は、画像処理部１１２が生成した画像形成情報に基づいてプリントエンジン１２２を駆動し、画像形成を実行させる。プリントエンジン１２２は、給紙トレイ１２１から搬送される用紙に対して、エンジン制御部１１５から入力される画像形成情報に従って画像形成を実行する。
【００３５】
画像形成装置１がスキャナとして動作する場合は、ユーザによるディスプレイパネル１４０の操作に応じて入力制御部１１４が主制御部１１１に操作信号を送信する。主制御部１１１は、入力制御部１１４から受信した操作信号をエンジン制御部１１５に入力する。エンジン制御部１１５は、スキャナユニット１００を駆動し、ＡＤＦ１０１にセットされた撮像対象原稿を撮像部１０２に搬送する。撮像部１０２に含まれるＣＣＤ等の撮像素子は、エンジン制御部１１５の制御に従って原稿を光学的に走査し、光学情報から画像情報を生成する。エンジン制御部１１５は、スキャナユニット１００が生成した画像情報を受信し、画像読取装置１が有する記憶媒体に格納し、若しくはホストＩ／Ｆ１３０を介して外部の記憶装置やホスト装置に送信する。また、画像形成装置１が複写機として動作する場合は、エンジン制御部１１５がスキャナユニット１００から受信した画像情報に基づき、画像処理部１１２が画像形成情報を生成する。その画像形成情報に基づいてプリンタ動作の場合と同様に、エンジン制御部１１５がプリンタユニット１２０を駆動する。
【００３６】
このような画像形成装置１において、本実施例の要旨は、製本処理を伴う印刷ジョブの実行に際し、画像処理部１１２の画像処理結果を参照して総ページ数の情報を取得すると共に、画像形成を実行した用紙の厚さ情報を用紙テーブル１１３から取得し、それらの情報に基づいて製本対象となる紙束（文書束）の厚さ情報を生成する。また、製本処理を施す文書束を挟む外装用紙への画像形成に際し、生成した文書束の厚さ情報に基づいて背表紙幅を決定することにより、表紙、背表紙及び裏表紙の夫々の領域に対する画像形成を可能とすることにある。以下、図３、図４を用いて、本実施例に係る画像形成装置１の動作を説明する。図３は、本実施例に係る画像形成装置１において、製本処理が指定された印刷ジョブが発生した場合の動作を示すフローチャートであり、図４は、製本処理が指定された印刷ジョブに含まれる情報例を示す図である。
【００３７】
画像形成装置１がホストＩ／Ｆ１３０を介して印刷ジョブを受信し若しくはユーザによるディスプレイパネル１４０の操作により複写機として動作することにより印刷ジョブが発生すると（Ｓ３０１）、主制御部１１１がコントローラ１１０各部を制御することにより画像形成動作を開始する。ここで、図４を参照して製本処理が指定された印刷ジョブに含まれる情報について説明する。図４に示すように、印刷ジョブＳは、印刷ジョブであることを示す印刷ジョブヘッダ情報Ｓ1、最終的に印刷出力する文書、即ち、製本対象である本文の元となる本文画像情報Ｓ2、本文画像情報の割り付けや両面印刷等を指定する出力形式情報Ｓ3、複数設けられた給紙トレイ１２１のうちいずれかのトレイを指定する用紙指定情報Ｓ4、製本処理を行うか否かを示す製本フラグＳ5及び外装用紙に対して印刷出力する画像の元となる外装画像情報Ｓ6を含む。主制御部１１１は、製本フラグＳ5を参照することにより、入力制御部１１４が受信した印刷ジョブにおいて製本が指定されているか否かを判断する。
【００３８】
画像形成動作の開始に応じて、画像処理部１１２は印刷ジョブＳに含まれる本文画像情報Ｓ2及び出力形式情報Ｓ3に基づき、画像処理を実行して画像形成情報を生成する（Ｓ３０２）。エンジン駆動部１１５は、画像処理部１１２が生成した画像形成情報に基づき、プリンタユニット１２０を駆動して画像形成を実行する（Ｓ３０３）。印刷ジョブＳに含まれる画像情報Ｓ2について画像処理部１１２が画像処理を全て終了すると（Ｓ３０４）、主制御部１１１は、画像処理結果を参照して画像形成枚数の情報を取得する（Ｓ３０５）。また、主制御部１１１は、用紙指定情報Ｓ4において指定されている用紙トレイに基づいて用紙テーブル１１３を参照し、用紙厚さの情報を取得する（Ｓ３０６）。そして、主制御部１１１は、Ｓ３０５において取得した用紙枚数の情報とＳ３０６において取得した用紙厚さとの情報に基づき、本文の文書束を挟む外装用紙の背表紙幅を演算する（Ｓ３０７）。即ち、主制御部１１１が背表紙幅情報取得手段として機能する。その後、画像処理部１１２がＳ３０７において取得された背表紙幅及び外装画像情報Ｓ6に基づいて画像処理を実行し外装画像形成情報を生成する。即ち、画像処理部１１２が画像形成領域特定手段として機能する。そして、エンジン制御部１１５が外装画像情報に基づいてプリンタユニット１２０を駆動して外装画像形成を実行し（Ｓ３０８）、処理を終了する。
【００３９】
次に、図５、図６（ａ）を参照して、外装画像形成について説明する。図５は、印刷ジョブＳに含まれる本文画像情報Ｓ2の出力結果である本文の文書束３及び製本処理において文書束３を挟む外装用紙４を模式的に示す斜視図である。また、図６（ａ）は、文書束３の外装として折り曲げられる前の状態の外装用紙４を模式的に示す図である。図５、図６（ａ）に示すように、外装用紙４は文書束３を挟んだ状態において文書束３の紙面と平行になる表紙面４ａ、裏表紙面４ｃ及び文書束３の紙面と垂直であって文書束３が重ねられた厚さ方向と平行になる背表紙面（背表紙領域）４ｂとを有する。また、図６（ａ）に示すように、外装用紙４は、文書束３を挟んだ状態において切断部分となる余白４ｄを有する。図３のＳ３０８において外装画像形成を実行する際の印刷領域指定について説明する。尚、図６（ａ）に示す平面状態の外装用紙４を図５に示す状態に折り曲げる折線と平行な方向、若しくは文書束３が製本された状態において、背表紙面４ｂと当接する辺と平行な方向を、文書束３及び外装用紙４の縦方向とし、文書束３に含まれる文書の紙面及び外装用紙４の紙面において、縦方向と垂直な方向を横方向とする。
【００４０】
表紙面４ａ、背表紙面４ｂ及び裏表紙面４ｃの縦方向の幅Ｗｔ１及び表紙面４ａ及び裏表紙面４ｃの横方向の幅Ｗｙ１は、図４に示す印刷ジョブＳの用紙指定情報Ｓ4において指定されている給紙トレイに基づいて用紙テーブル１１３を検索し、用紙サイズ情報を参照することにより取得することが可能である。即ち、用紙指定情報Ｓ4においてトレイ１が指定されていれば、文書束３の印刷出力に用いる用紙サイズはＡ４サイズであるため、Ｗｔ１及びＷｙ１はＡ４サイズに基づいて決定される。尚、指定された用紙サイズがＡ４で合った場合であっても、Ｗｔ１及びＷｙ１はＡ４サイズと完全に同一である必要はなく、文書束３に対する表紙として大きめに決定されても良いし、図５に示すように折り曲げることも考慮して大きめに決定されても良い。
【００４１】
他方、背表紙面４ｂの横方向の幅Ｗｙ２は、図３のＳ３０７において演算により取得する。具体的には、文書束３の画像処理が完了した時点で判明する印刷出力の枚数ＰとＳ３０６において用紙テーブル１１３から取得する用紙厚さＱとの積により求められる文書束３の厚さＴ（＝Ｐ×Ｑ）に基づいて決定する。尚、文書束３の厚さＴと背表紙面４ｂの幅Ｗｙ２とは完全に同一である必要はなく、文書束３を重ねることにより生じる膨らみや製本に際して用いられる接着剤及び外装用紙４の厚さ等も考慮して大きめに決定されても良い。このような処理により、外装用紙４における印刷領域Ａの縦横の幅（縦：Ｗｔ１、横：２×Ｗｙ１＋Ｗｙ２）が決定される。また、図６（ａ）において表紙面４ａの左上座標を（０，０）とすると、表紙面４ａの領域は（０，０）、（Ｗｙ１，Ｗｔ１）により示され、背表紙面４ｂの領域は（Ｗｙ１，０）、（Ｗｙ１＋Ｗｙ２，Ｗｔ１）により示され、裏表紙面４ｃの領域は、（Ｗｙ１＋Ｗｙ２，０）、（２×Ｗｙ１＋Ｗｙ２，Ｗｔ１）により示される。
【００４２】
外装用紙４における余白領域４ｄは、印刷領域Ａの縦方向両端に生じる余白幅ＷＴ、ＷＢ及び印刷領域Ａの横方向両端に生じる余白幅ＷＬ、ＷＲにより規定される。これら外装用紙４の余白幅は、外装用紙４の印刷出力に用いる用紙サイズやプリントエンジン１２２の仕様、設定により適宜決定される。また、文書束３をＡ４サイズで出力する場合に、縦方向がＡ４サイズと同一であり、横方向がＡ４サイズよりも長い（２倍以上）用紙を用いる場合、図６（ｂ）に示すように、縦方向両端には余白が生じず、また、プリントエンジン１２２における用紙の搬送方向先頭側（図中において左側）にも余白が生じないように画像形成を実行可能であり、余白ＷＲのみとなる場合もある。これら外装用紙４における余白領域４ｄは、製本機２に含まれる切断機能若しくは排出後のユーザ作業により適宜切断される。  
【００４３】
以上説明したように、本実施例に係る画像形成装置においては、製本処理において文書束を挟む外装用紙への画像形成に際し、製本後に背表紙となる領域への画像形成が可能となる。尚、上記の説明においては、図３のＳ３０２〜Ｓ３０５に示すように、本文画像情報Ｓ2の画像処理を開始した後、画像処理が完了した部分から順次画像形成を開始すると共に、本文画像情報Ｓ2の画像処理が完了した時点で画像処理結果から印刷出力枚数を取得する例を説明した。これに限らず、例えば、本文画像情報Ｓ2の画像処理を開始した後、画像形成を開始する前に本文画像情報Ｓ2の画像処理を全て完了し、先に印刷出力枚数を取得することも可能である。これにより、文書束３となる本文よりも外装用紙４への画像形成を先に実行することが可能となり、例えば製本機２の仕様として文書束３に先んじて外装用紙４を用意する必要がある場合等に効果がある。
【００４４】
さらに、製本機２の仕様として文書束３に先んじて外装用紙４を用意する必要があるか否かについて考慮する場合、入力制御部１１４が印刷ジョブＳを受信した時点で、主制御部１１１はそれを確認することが好ましい。この確認処理の方法としては、コントローラ１１０が画像形成装置１に接続されている製本機２の情報を保持しており、主制御部１１１は、その情報を確認することにより、製本機２に対して外装用紙４を先に出力する必要があるか否かを判断することができる。また、入力制御部１１４が印刷ジョブＳを受信した時点で、後処理制御部１１６を介して製本機２に問い合わせることにより判断することもできる。尚、画像形成を開始する前に本文画像情報Ｓ2をすべて完了する場合、画像処理部１１２は生成した画像形成情報を画像形成装置１に備えられたＨＤＤ等に一時的に格納することにより、画像処理を実行するメモリ空間の不足を解消することができる。
【００４５】
また、上記の説明においては、印刷出力の枚数を、画像処理部１１２による処理結果から取得する例を説明したが、これ以外にも、例えば給紙トレイ１２１からプリントエンジン１２２に用紙が搬送され、若しくはプリンタユニット１２０内を１枚の用紙が搬送される毎にカウンタ（カウント手段）をインクリメントし、最終的に本文の印刷出力が終了した時点のカウンタ値を参照することにより取得することも可能である。コントローラ１１０側で画像処理結果に基づいて出力枚数を取得する場合、両面印刷や割り付け印刷などによる出力枚数を考慮して特定する必要があるが、プリンタユニット１２０でのカウントにより取得することでそのような考慮をする必要がなくなり、処理を簡略化することが可能となる。
【実施例２】
【００４６】
実施例１においては、背表紙幅を取得する手段として、画像処理の結果取得可能な印刷出力枚数と、用紙テーブル１１３から取得可能な用紙厚さとに基づいて演算する例を説明した。本実施例においては、本文の印刷出力に用いられる用紙がプリンタユニット１２０内を搬送される間に、その用紙の厚さを検出することにより最終的に文書束３となった状態の厚さを取得する例を説明する。尚、実施例１と同様の符号を付す構成については実施例１と同一又は相当部を示し、説明を省略する。実施例１の画像形成装置１においては、コントローラ１１０が用紙テーブル１１３を有することにより用紙厚さの取得を可能としているが、ユーザの使用態様によっては、用紙テーブル１１３に格納された情報と実際に給紙トレイ１２１に格納されている用紙とが異なり得る。そのような場合、主制御部１１１が演算により導き出した背表紙幅の値は実際の値とは異なる。本実施例はこの様な課題に鑑み、文書束３となる本文の画像形成実行中にプリンタユニット１２０内を搬送される用紙の厚さを検出することにより、文書束３の厚さひいては背表紙幅の厚さ情報を正確に取得することを可能とする。
【００４７】
本実施例に係る画像形成装置１の全体構成は、概ね図１に示す実施例１と同様である。ここで、本実施例に係るプリンタユニット１２０は、給紙トレイ１２１から引き出され、ユニット内部を搬送される用紙の厚さを検出する機能を有し用紙厚さ検出手段として機能する。この厚さ検出機能は、給紙トレイ１２１が有しても良いし、プリントエンジン１２２が有しても良い。また、給紙トレイ１２１からプリントエンジン１２２への用紙搬送路並びにプリントエンジン１２２から排紙トレイ１２３又は製本機２その間の搬送路に設けられても良い。
【００４８】
次に、図７を用いて本実施例に係る画像形成装置１の動作を説明する。画像形成装置１がホストＩ／Ｆ１３０を介して印刷ジョブを受信し若しくはユーザによるディスプレイパネル１４０の操作により複写機として動作することにより印刷ジョブが発生すると（Ｓ７０１）、主制御部１１１がコントローラ１１０各部を制御することにより画像形成動作を開始する。画像形成動作の開始に応じて、画像処理部１１２は印刷ジョブＳに含まれる本文画像情報Ｓ2及び出力形式情報Ｓ3に基づき、画像処理を実行して画像形成情報を生成する（Ｓ７０２）。エンジン駆動部１１５は、画像処理部１１２が生成した画像形成情報に基づき、プリンタユニット１２０を駆動して画像形成を実行する（Ｓ７０３）。主制御部１１１は、プリンタユニット１２０の画像形成実行に際し、給紙トレイ１２１から引き出されユニット内を搬送される用紙の厚さをプリンタユニット１２０に設けられた用紙厚さ検出手段から取得する（Ｓ７０４）。
【００４９】
ここで、プリンタユニット１２０を搬送される用紙の厚さ検出動作について更に説明する。給紙トレイ１２１から用紙が引き出され、プリンタユニット１２０内を搬送されると、前述の通りプリンタユニット１２０に設けられた用紙厚さ検出手段が用紙の厚さを検出する。用紙厚さ検出手段は、検出した用紙の厚さをエンジン制御部１１５に送信する。主制御部１１１は、エンジン制御部１１５からの転送により用紙厚さの情報を取得する。主制御部１１１は、Ｓ７０４において取得した用紙厚さ情報を積算処理のためのメモリ空間に一時的に保持する（Ｓ７０５）。この動作を実行中の印刷ジョブＳに係る画像形成がすべて終了するまで（Ｓ７０６）繰り返し、主制御部１１１は、用紙１枚の画像形成処理の度にプリンタユニット１２０及びエンジン制御部１１５から取得される用紙厚さ情報を積算する（Ｓ７０６）。即ち、本実施例においても、主制御部１１１が背表紙幅情報取得手段として機能する。
【００５０】
実行中の印刷ジョブに係る全ての画像形成出力が終了した時点で、主制御部１１１は、積算演算を実行している用紙厚さ情報に基づいて背表紙幅を取得する（Ｓ７０７）。尚、ここで取得する背表紙幅は、用紙厚さ情報の積算結果と完全に同一である必要はなく、文書束３を重ねることにより生じる膨らみや製本に際して用いられる接着剤及び外装用紙４の厚さ等も考慮して大きめに決定されても良い。その後、実施例１と同様に外装画像形成を実行し（Ｓ７０８）、処理を終了する。
【００５１】
以上説明したように、本実施例に係る画像形成装置１においては、文書束３の画像形成動作において、プリンタユニット１２０内を搬送される用紙の厚さを検出及び積算することにより、外装用紙４の背表紙幅を取得する。これにより、実際に文書束３となる用紙の厚さを直接背表紙幅に反映することが可能であり、画像形成装置１の設定ミス等によって実際と異なる値を背表紙幅として取得するようなことがなくなる。
【００５２】
尚、上記の説明においては、文書束３の印刷出力すべての用紙厚さを検出し、それらを積算することにより背表紙幅を取得する例を説明したが、文書束３となる本文の印刷出力においては、特定の給紙トレイが指定されて画像形成が実行されることが一般的であり、本文に用いられる用紙の厚さはすべて同じであることが多い。従って、例えば最初の１枚のみ用紙厚さ情報を検出しておき、実施例１のように画像処理結果から取得可能な出力枚数情報との積を求めることによっても求めることが可能である。これにより、用紙厚さの検出動作は一度実行すればよく、処理を簡略化することが可能となる。他方、すべての用紙の厚さを積算する態様の場合は、厚さの異なる用紙が給紙トレイ１２１に格納されている場合であっても、正確な背表紙幅を取得することが可能となる。
【実施例３】
【００５３】
実施例１においては、背表紙幅を取得することにより、背表紙面４ｂにも画像形成を可能とする例を説明したが、背表紙面４ｂの幅Ｗｙ２の値によっては、外装用紙４として用意されている用紙ではサイズが足りなくなる可能性がある。そのような場合に外装用紙４の画像形成を実行してしまうと、画像が切れた状態で印刷出力されることとなる。また、特許文献１においては、表紙となる用紙のセンター部分に余白を設けることとなっており、予め用紙サイズが決定していることが前提となっている。この様な場合、表紙、背表紙及び裏表紙夫々の幅が予め判明しており、少なくともそれらの幅の合計よりも広い幅の用紙を用いるようにしなければ、背表紙の幅が広い場合、即ちシート束が厚い場合に、表紙及び裏表紙がシート束を完全に挟むことが出来なくなってしまう。結果的に、製本機２でのエラー発生、外装用紙４の画像形成のやり直し、更には、製本処理が実行されてしまった場合、文書束３の画像形成のやり直しも必要となり得る。本実施例においては、背表紙幅Ｗｙ２の取得後、印刷領域Ａのサイズと外装画像形成において指定されている用紙サイズとを比較し、指定されている用紙のサイズが印刷領域Ａを満足するか否かを確認する例を説明する。尚、実施例１と同様の符号を付す構成については実施例１と同一又は相当部を示し、説明を省略する。
【００５４】
図８を参照して、本実施例に係る画像形成装置１の動作について説明する。印刷ジョブの発生（Ｓ８０１）から、背表紙幅Ｗｙ２の演算（Ｓ８０７）までは、実施例１の図３において説明したＳ３０１〜Ｓ３０７までの処理と同等の処理を実行する。主制御部１１１は、背表紙幅Ｗｙ２を演算により取得すると、表紙面４ａ、裏表紙面４ｃの寸法Ｗｙ１及びＷｔ１とから印刷領域Ａの寸法を特定する（Ｓ８０８）。尚、印刷領域Ａの寸法の特定については、図６において説明した方法を用いることができる。次に、主制御部１１１は、印刷ジョブＳにおいて外装用紙４への画像形成用紙として指定されている用紙（以降、指定用紙）の寸法情報を用紙テーブル１１３から取得し、Ｓ８０８において特定した印刷領域Ａの寸法と比較する（Ｓ８０９）。
【００５５】
比較の結果、指定用紙の寸法がＳ３０８において特定された印刷領域Ａの寸法を満たすものであれば（Ｓ８０９）、実施例１と同様に外装画像形成を実行し（Ｓ８１２）、処理を終了する。他方、指定用紙の寸法が印刷領域Ａの寸法を満たさないものであれば（Ｓ８０９）、主制御部１１１は、入力制御部１１４にディスプレイパネル１４０の警告画面表示を実行させ若しくはホストＩ／Ｆ１３０を通してホスト装置への警告を送信させる（Ｓ８１０）。その後、ユーザによる用紙指定の変更や強制実行命令等により警告が解除されると（Ｓ８１１）、実施例１と同様に外装画像形成を実行し（Ｓ８１２）、処理を終了する。
【００５６】
この様に、本実施例に係る画像形成装置１においては、背表紙幅Ｗｙ２が確定し、外装用紙４の印刷領域Ａが特定された後、外装用紙４の印刷用紙として指定されている用紙のサイズとの比較を行うため、外装用紙４の画像が切れた状態で印刷出力されることにより、製本機２でのエラー発生、外装用紙４の画像形成のやり直し、及び文書束３の画像形成のやり直しといったような不具合を解決することが可能となる。
【実施例４】
【００５７】
実施例１乃至３においては、画像形成装置１が何らかの手段により独自に背表紙幅を取得する例を説明した。本実施例においては、画像形成装置１が製本機２との情報のやり取りにより背表紙幅を取得する例を説明する。尚、実施例１乃至３と同様の符号を付す構成については実施例１と同一又は相当部を示し、説明を省略する。本実施例に係る画像形成装置１及び製本機２の全体構成は、概ね図１に示す実施例１と同様である。ここで、本実施例に係る製本機２は、製本エンジン２０２若しくはその他の部位において、文書束３を挟むこと等により、文書束３の厚さを直接検出する機能を有する。
【００５８】
次に、図９を参照して、本実施例に係る画像形成装置１及び製本機２の動作について説明する。印刷ジョブの発生（Ｓ９０１）から、本文画像形成の実行（Ｓ９０３）までは、実施例１の図３において説明したＳ３０１〜Ｓ３０３までの処理と同等の処理を実行する。プリンタユニット１２０による本文画像形成が全て完了し（Ｓ９０４）、本文の印刷出力が文書束３として製本機２において保持されると、製本機２が文書束３を文書が重ねられた方向に挟むことによって文書束３の厚さＴを検出する（Ｓ９０５）。主制御部１１１は、部署束３の厚さを製本機２から取得し、文書束３の厚さに基づいて背表紙幅を決定する（Ｓ９０６）。尚、文書束３の厚さＴと背表紙幅とは完全に同一である必要はないが、本実施例においては、実際に文書束３を挟むことにより厚さを検出するため、文書を重ねることによる膨らみ等も含まれ、より背表紙幅に近い値として文書束３の値を検出することが可能である。その後、実施例１と同様に外装画像形成を実行し（Ｓ９０７）、処理を終了する。
【００５９】
尚、Ｓ９０６における主制御部１１１による文書束３の厚さ情報の取得については、エンジン制御部１１５がすべての本文画像形成処理が完了したことを主制御部１１１に通知し、その通知に応じて主制御部１１１が製本機２に問い合わせるようにすることができる。また、すべての本文画像形成処理が完了し、製本機２において文書束３の厚さが検出され、コントローラ２０１が後処理制御部１１６に文書束３の厚さを送信するようにしても良い。この場合、主制御部１１１は、コントローラ２０１から後処理制御部１１６に部署束３の厚さ情報が入力されることを待って、外装画像形成を実行する。
【００６０】
以上説明したように、本実施形態に係る画像形成装置１においては、文書束３の厚さ情報を製本機２から取得することにより、背表紙幅Ｗｙ２を特定する。これにより、最終的に製本を行う製本機２での検出結果を参照することとなるため、装置間の誤差等を排したより正確な寸法として背表紙幅Ｗｙ２を特定することが可能となる。また、製本機２に設けられる厚さ検出器の機能によっては、実際に文書束３を挟むことにより厚さを検出可能であるため、文書を重ねることによる膨らみ等も含まれ、より背表紙幅に近い値として文書束３の値を検出することが可能である。
【００６１】
また、実施例１乃至３においては、文書束３となる本文の印刷ジョブと外装用紙４の印刷ジョブとが対応付けられている必要があり、外装用紙４を印刷する際には本文の印刷ジョブが必須であった。しかしながら、本実施例のように、画像形成装置１が、製本機２からの情報を参照することにより背表紙幅Ｗｙ２を決定し、外装用紙４の画像形成を実行可能であれば、既に印刷出力が終了している文書束３を製本機２にセットし、そのセットされた文書束３を製本するための外装用紙４についての印刷ジョブであることを指定して印刷ジョブを入力することにより、外装用紙４の画像形成を単体で実行することが可能となる。更に具体的に説明すると、主制御部１１１は、入力制御部１１４に印刷ジョブが入力されると、その印刷ジョブが通常の印刷ジョブか外装用紙の印刷ジョブであるかを判断し、外装用紙の印刷ジョブである場合は、製本機２に予めセットされている文書束３の厚さ情報を取得することにより、外装画像形成を実行することが可能である。
【００６２】
尚、上記の説明においては、文書束３の厚さを検出し、主制御部１１１に通知する装置として、画像形成装置１に接続された製本機２を用いる例を説明した。しかしながら、特に製本機２である必要はなく、画像形成装置１において画像形成が実行された出力用紙が搬送されるその他の後処理装置であっても良い。また、既に文書束３としてまとめられている文書をセットし、その厚さを検出する専用の装置であっても良いし、画像形成装置１と製本機２との間の用紙搬送経路に接続される他の装置であっても良い。また、ユーザがディスプレイパネル１４０から直接背表紙幅Ｗｙ２を指定しても良い。
【実施例５】
【００６３】
実施例１乃至４においては、背表紙幅Ｗｙ２が特定された後、そのまま外装画像形成を実行する例を説明した。本実施例においては、特定された背表紙幅Ｗｙ２をユーザに通知し、ユーザによる微修正を可能とする例を説明する。尚、実施例１乃至３と同様の符号を付す構成については実施例１と同一又は相当部を示し、説明を省略する。本実施例に係る画像形成装置１及び製本機２の全体構成は、概ね図１に示す実施例１と同様である。また、本実施例に係る画像形成装置１の動作は用紙幅Ｗｙ２の特定動作までは図３に示すＳ３０７までと同様である。本実施例に係る画像形成装置１において、主制御部１１１は、特定された背表紙幅Ｗｙ２を、入力制御部１１４を制御してディスプレイパネル（表示手段）１４０に表示させる。ユーザはディスプレイパネル１４０の表示を視認することにより、画像形成装置１において特定された背表紙幅Ｗｙ２を確認することが可能となる。
【００６４】
図３や図８の例であれば、本文画像処理が完了して背表紙幅が特定された後、本文画像形成が完了して外装画像形成を開始するまでにはある程度の時間があると考えられる。従って、その期間、ユーザはディスプレイパネル（入力手段）１４０を通して背表紙幅Ｗｙ２を修正するための情報（背表紙領域修正情報）を入力することが可能となる。また、図７や図９の例であっても、背表紙幅Ｗｙ２を特定してディスプレイパネル１４０に表示した後、ユーザからの指示があるまで外装画像形成の実行を待機することにより、ユーザが背表紙幅Ｗｙ２を修正することが可能である。即ち、画像処理部１１２は、外装画像処理の実行に際して、特定された背表紙幅Ｗｙ２情報及び外装画像情報Ｓ6に加え、背表紙領域修正情報を参照する。
【００６５】
このような態様は、同様の文書を複数部出力して製本する場合等、１部目の出力及び製本結果を確認して２部目以降の背表紙幅Ｗｙ２を修正する場合等にも適用することができる。具体的には、印刷ジョブにおいて複数部の印刷出力及び製本が指定されている場合、主制御部１１１は、１部目を出力した後、２部目の出力を開始する前に、エンジン制御部１１２を制御してプリンタユニット１２０の駆動を中断させ、入力制御部１１４を制御して背表紙幅Ｗｙ２について修正が必要ないか否かディスプレイパネル１４０に表示させることができる。これにより、１部目の製本結果を確認した上で２部目以降の製本態様を修正し、最適化することが可能となる。
【００６６】
更に、ユーザによる背表紙幅Ｗｙ２の修正が行われた場合、コントローラ１１０は、ユーザにより修正された値を最適値として格納しておくことにより、背表紙幅Ｗｙ２の演算値と最適値とのずれを学習することができる。これにより、実施例１において説明した用紙厚さと印刷出力枚数との積に基づく決定、実施例２において説明した用紙厚さの積算による決定及び実施例４において説明した文書束３の厚さに基づく決定を最適化することが可能となる。
【００６７】
尚、上記実施例１乃至実施例５の説明においては、画像処理装置１が画像形成を実行して出力した文書束等、その紙面に何らか情報が表示された文書を製本する場合を例として説明した。しかしながら、製本とは紙をとじて本の形にすることであり、例えば白紙の紙束を製本してノートを製造する場合等にも適用することが可能である。即ち、本発明における製本には白紙の紙束を外装用紙で挟み、表紙、背表紙、裏表紙を付ける場合も含まれる。
【実施例６】
【００６８】
図１０〜図１５は、本発明の画像形成装置、画像形成装置の制御方法、画像形成装置の制御プログラム及び記憶媒体の第６実施例を示す図であり、図１０は、第６実施例を適用したレーザプリンタ３００の概略構成正面図である。
【００６９】
レーザプリンタ３００は、本体部３０１と本体給紙部３０２を備えており、本体部３０１には、製本機４００が接続されている。レーザプリンタ３００は、本体給紙部３０２から本体部３０１に本文用の用紙を搬送し、本体部３０１が、本文用の所定ページ分の画像を該本文用の用紙に順次形成（転写）して製本機４００に送り、また、本体部３０１が、本体給紙部３０２から送られてくる外装用の用紙に外装用画像を形成して製本機４００に送る。製本機４００は、糊付け部４０１と断裁部４０２等を備えており、本体部３０１から送られてきた画像形成済の用紙が、製本対象の用紙でないときには、そのまま図示しない排紙トレイ上に排出し、本体部３０１から送られてきた画像形成済の用紙が製本対象の用紙であると、該製本対象の用紙を順次糊付け部４０１に載置する。製本機４００は、糊付け部４０１に順次載置した製本対象の用紙が製本対象部数になると、次に本体筐体部３０１で後述するように外装用紙用の画像が画像形成された該画像形成済の外装用紙が送られてくるのを待って、該外装用紙が送られてくると、該製本対象の用紙束を該外装用紙で包むように糊付けし、用紙束を糊付けした外装用紙の背表紙側以外の３辺を断裁部４０２で断裁して、指定サイズに製本した後、図示しない製本排紙部に排出する。
【００７０】
そして、レーザプリンタ３００は、図１１に示すようにブロック構成されており、コントローラ３１０、操作パネル３３０及びプリンタエンジン３４０等を備えており、ホスト装置ＨＳが接続されている。
【００７１】
コントローラ３１０は、そのとき設定されている制御モード及びホスト装置ＨＳからの制御コードに従って、ホスト装置ＨＳからの印刷データを、ビデオデータに変換してプリンタエンジン３４０へ出力する制御機構の総称であり、ホストＩ／Ｆ３１１、プログラムＲＯＭ（Read Only Memory）３１２、フォントＲＯＭ３１３、パネルＩ／Ｆ３１４、大容量記憶装置３１５、ＣＰＵ（Central Processing Unit ）３１６、ＲＡＭ（Random Access Memory）３１７、ＮＶＲＡＭ（Non-Volatile Random Access Memory）３１８、エンジンＩ／Ｆ３１９及びオプションＲＡＭ３２０等を備えていて、上記各部は、バス３２１により接続されている。
【００７２】
ホストＩ／Ｆ３１１には、ホスト装置ＨＳが接続されており、ホストＩ／Ｆ３１１は、ホスト装置ＨＳからレーザプリンタ３００に送られてくる制御信号及びデータを受け取るとともに、レーザプリンタ３００からホスト装置ＨＳへのステータス信号等のデータや信号の送り出しを行う。
【００７３】
プログラムＲＯＭ３１２は、コントローラ３１０内でのデータの処理や管理及び周辺モジュールを制御するためのプログラム、具体的には、レーザプリンタ３００としての基本処理プログラム及び後述する外装用紙への印刷を制御する画像形成制御プログラム等の各種プログラムを格納しているとともに、これらの各プログラムを実行するのに必要な各種データを格納している。
【００７４】
フォントＲＯＭ３１３は、レーザプリンタ３００で印刷に使用する各種フォントが予め格納されており、ＣＰＵ３１６により読み出されて、印刷処理に供される。
【００７５】
このレーザプリンタ３００は、この画像形成制御プログラムが、予めプログラムＲＯＭ３１２に格納されている場合に限るものではなく、プログラムＲＯＭ３１２が書込可能であって、ＣＤ（Compact Disc）、ＣＤ−ＲＷ（Compact Disc Rewritable ）、フレキシブルディスク等の記録媒体に記録されている後述する画像形成制御プログラムを読み込ませて格納してもよい。そして、このレーザプリンタ３００は、上述のように、記録媒体に記録されている画像形成制御プログラムが導入されて、実行されることで、本発明のレーザプリンタ３００として構築され、また、画像形成制御方法を実行する。
【００７６】
パネルＩ／Ｆ３１４には、操作パネル（表示手段、入力手段）３３０が接続されており、操作パネル３３０は、レーザプリンタ３００のモードやフォント等の切換操作等の各種操作を行うための各種操作キーを備えるとともに、レーザプリンタ３００の状態を表示する液晶ディスプレイ等のディスプレイを備えている。パネルＩ／Ｆ３１４は、コントローラ３１０と操作パネル３３０との間の信号の授受を行う。
【００７７】
大容量記憶装置３１５は、ハードディスク等で構成され、印刷データやビデオデータ及びその他の各種データを記憶する。
【００７８】
ＣＰＵ（制御手段）３１６は、プログラムＲＯＭ３１２に格納されているプログラムに基づいて、ＲＡＭ３１７をワークメモリとして利用しつつ、ホスト装置ＨＳからのデータ（印字データ、制御データ）を処理して、レーザプリンタ３００の各部を制御し、印刷出力処理（画像形成処理）を行うとともに、後述するように、外装用紙の画像形成領域の決定と該画像形成領域への画像形成制御を行う外装用紙画像形成制御処理を行う。
【００７９】
ＲＡＭ３１７は、ＣＰＵ３１６のワークメモリとして利用されるとともに、ホスト装置ＨＳからの印刷データをページ単位に管理して一時記憶するバッファ及びバッファに記憶されたデータを実際の画像パターン（印字パターン）に変換したビデオデータを記憶するビットマップメモリ等として利用される。
【００８０】
ＮＶＲＡＭ３１８は、レーザプリンタ３００の電源が切られているときにも記憶内容を保持するメモリであり、レーザプリンタ３００の電源がオフの際にも保持する必要のあるデータをＣＰＵ３１６の制御下で記憶する。特に、ＮＶＲＡＭ３１８は、後述する外装用紙画像形成処理で用いる用紙種別の用紙厚さテーブル（用紙情報テーブル）を記憶しており、この用紙厚さテーブルは、プリンタエンジン３４０で印刷に使用する用紙の用紙種別毎にその用紙の厚さをテーブル形式で記憶する。
【００８１】
オプションＲＡＭ３２０は、いわゆる補助メモリであり、ＲＡＭ３１７の容量が不足した際等に補助として使用されるものである。
【００８２】
エンジンＩ／Ｆ３１９には、プリンタエンジン３４０が接続されており、コントローラ３１０からプリンタエンジン３４０への制御信号やビデオ信号及びプリンタエンジン３４０からコントローラ３１０へのステータス信号の授受を行う。
【００８３】
プリンタエンジン（画像形成手段）３４０は、エンジンＩ／Ｆ３１９を介してコントローラ３１０から受け取ったビデオ信号（画像信号）及び制御信号により、例えば、電子写真方式で画像形成（印刷処理）を行う。すなわち、プリンタエンジン３４０は、図示しないが、電子写真方式の場合、電子写真方式で記録紙に描画データを記録出力するのに必要な部品、例えば、感光体、光書込部、現像部、帯電部及びクリーニング部等を備えており、ビデオ信号及び制御信号により光書込部を動作させて感光体上に静電潜像を形成して、現像部によりトナー（印刷媒体）を感光体上に供給して現像してトナー画像を形成（印刷）する。プリンタエンジン３４０は、給紙部（給紙トレイ）から記録紙を感光体と転写部との間に給紙して、感光体上のトナー画像を記録紙に転写させ、トナー画像の転写された記録紙を定着部に搬送して、定着部で加熱・加圧して記録紙上のトナー画像を定着させることで、画像を形成する。プリンタエンジン３４０には、上記製本機４００が接続されており、プリンタエンジン３４０は、画像形成（印刷）の完了した用紙（印刷済用紙）を製本機４００に排出する。
【００８４】
そして、レーザプリンタ３００は、ホストＩ／Ｆ３１１を介してホスト装置ＨＳからデータを受け取ると、ＣＰＵ３１６が、該受け取ったデータをプログラムＲＯＭ３１２上のデータ解析プログラムに従って解析し、印刷データ及び印刷制御データ（ＳＰ、ＣＲ、ＬＦ、ＨＴ、ＶＴ、・・・等）とその他に分ける。ＣＰＵ３１６は、印刷データ及び印刷制御データをＲＡＭ３１７上の受信バッファに一旦記憶し、該一旦記憶した受信データを、プログラムＲＯＭ３１２上の制御プログラムに従って一つずつ取り出して、該受信データの処理を行う。例えば、ＣＰＵ３１６は、取り出したデータが文字コードであれば、印字位置、印字サイズ、文字コード、フォント情報等を備えた中間コードを作成して、ＲＡＭ３１７上に設けられた中間バッファに収納し、取り出したデータが制御コードやエスケープシーケンス等のコマンドであると、それらに予め定義された処理を行う。具体的には、ＣＰＵ３１６は、コマンドが印字位置の指定であると、次にきた文字コードの位置を指定された位置に設定し、また、コマンドがフォントの変更であると、次にきた文字コードのフォント情報を指定されたフォントにする等の処理を行う。そして、ＣＰＵ３１６は、このようにしてホスト装置ＨＳからのプリント命令の処理を行うか、または、コマンドで指定された処理を行ったデータが１ページ分を超えると、次に中間バッファに貯えられた中間コードを、制御プログラムに従ってビデオデータに変換する処理を行う。ＣＰＵ３１６は、中間コードのビデオデータへの変換が終了すると、コントローラ３１０は、エンジンＩ／Ｆ３１９を通してプリンタエンジン３４０にプリントスタートの命令を出し、この命令に同期してビデオデータをプリンタエンジン３４０に転送する。レーザプリンタ３００は、上述のような一連の流れの処理を行うことで、ホスト装置ＨＳからの印刷データをプリンタエンジン３４０で用紙に印刷出力する。また、ＣＰＵ３１６は、印刷データをビデオデータに変換すると、上記プリンタエンジン３４０に転送する場合だけでなく、処理設定によっては、該ビデオデータを一旦圧縮して、大容量記憶装置３１５に蓄積する。そして、ＣＰＵ３１６は、制御プログラムの指示するタイミングで、大容量記憶装置３１５に圧縮して蓄積したビデオデータを伸長し、エンジンＩ／Ｆ３１９を通してプリンタエンジン３４０にプリントスタートの命令を出して、この命令に同期して該伸長したビデオデータをプリンタエンジン３４０に転送する。
【００８５】
製本機４００は、レーザプリンタ３００から送られてくる画像形成済用紙が製本対象であるか、製本対象でないかによって排出方向を切り換え、製本対象でない画像形成済用紙を排紙トレイに排出する。そして、製本機４００は、画像形成済用紙が製本対象であると、該製本対象である画像形成済用紙を、必要部数蓄積した後、図１２に示すように、糊付け部４０１で、該画像形成済用紙である本文（中紙）５０１を、表紙５１１、背表紙５１２、裏表紙５１３となる１枚の外装用紙５１０で包んで糊付けし、断裁部４０２で、背表紙５１２側以外の３辺を断裁して、指定サイズに製本して図示しない製本排紙部に排出する。
【００８６】
次に、本実施例の作用を説明する。本実施例のレーザプリンタ３００は、製本機４００で製本する際の外装用紙５１０の表紙５１１、背表紙５１２、裏表紙５１３の各画像領域を設定して適切の各画像領域に画像形成する外装用紙画像形成制御処理を行う。
【００８７】
製本を伴う文書の印刷においては、レーザプリンタ３００は、図１３に示すように、まず、製本される本文５０１の各ページの印刷を行い（ステップＳ１００１〜Ｓ１００４）、本文５０１の全てのページの印刷を完了すると、外装用紙５１０の各紙５１１、５１２、５１３の画像領域を決定して印刷を行った後、製本処理して排出する（ステップＳ１００５〜Ｓ１００９）。
【００８８】
すなわち、レーザプリンタ３００は、製本を伴う文書の印刷において、ホスト装置ＨＳから印刷データからデータ受信を行い（ステップＳ１００１）、受信した本文５０１の１ページ目の印刷データをＲＡＭ３１７上にビデオデータに変換してメモリ画像として展開する（ステップＳ１００２）。レーザプリンタ３００は、該メモリ画像をプリンタエンジン３４０に転送して、プリンタエンジン３４０が、指定の給紙トレイの用紙に該メモリ画像を印刷出力し（ステップＳ１００３）、本文５０１の最終ページであるかチェックする（ステップＳ１００４）。
【００８９】
ステップＳ１００４で、本文５０１の最終ページでないときには、レーザプリンタ３００は、ステップＳ１００１に戻って、本文５０１の次ページの受信データの処理を行って、メモリ画像に展開した後、プリンタエンジン３４０に転送して、プリンタエンジン３４０で本文５０１の用紙に印刷出力し、最終ページであるかチェックする処理を、本文５０１の最終ページの印刷が完了するまで、繰り返し行う（ステップＳ１００１〜Ｓ１００４）。この場合、レーザプリンタ３００は、本文５０１の画像を用紙の表と裏にページ順となるように印刷するが、この本文５０１の画像の両面印刷においては、１枚の用紙の表面（例えば、奇数ページ）の印刷を行うと、その用紙の裏面（例えば、偶数ページ）に次のページの画像の印刷を行うページ順印刷を行ってもよいし、用紙の表面への印刷を順次最後の表面のページの画像まで印刷して、その後、表面印刷済の用紙の裏面への画像をページ順を合わせて順次行う両面印刷を行ってもよい。
【００９０】
レーザプリンタ３００は、両面への本文５０１の画像の印刷の完了した印刷済用紙を製本機４００に送り、製本機４００は、レーザプリンタ３００から送られてきた印刷済の本文５０１の用紙を製本機４００内でページ順に重ね合わせて載置する。
【００９１】
この製本される本文５０１の各ページの印刷においては、例えば、左綴じ製本（表紙５１１が見えるように持ったときに、左側で綴じる製本）の場合、図１４に示すように、本文５０１の偶数ページの描画領域が見える状態としたとき、本文５０１は、外装用紙５１０によって図１３の右側で綴じられる右側以外の他の３辺が、断裁部４０２で断裁されるので、右寄りに印刷する。
【００９２】
すなわち、図１４において、本文５０１の印刷用紙の幅をＮＷ、高さをＮＨとすると、幅ＮＷのうち、断裁幅ＮＷ１が断裁されて本文幅領域ＮＷ２が残り、高さＮＨのうち、上側の断裁高さＮＨ２と下側の断裁高さＮＨ３がそれぞれ断裁されて本文高さ領域ＮＨ３が残る。
【００９３】
したがって、レーザプリンタ３００は、本文５０１に印刷する画像の本文画像領域５０１Ｇ（本文幅領域ＮＷ２と本文高さ領域ＮＨ３からなる画像領域）を、印刷用紙に対して右寄り（奇数ページの場合には左より）にして印刷する。
【００９４】
また、本文５０１の本文画像領域５０１Ｇは、基本的には断裁された後の仕上がりサイズと同サイズであるが、仕上がりサイズよりも若干大きいサイズ、または、小さいサイズの場合もある。そこで、レーザプリンタ３００は、仕上がりサイズと本文５０１の本文画像領域５０１Ｇのサイズとの間に相違がある場合、偶数ページでは、本文画像領域５０１Ｇの左側が断裁され、奇数ページでは本文画像領域５０１Ｇの右側が断裁されるので、本文５０１の左右方向の本文画像領域５０１Ｇの位置の決定には、仕上がりサイズに対してセンタリング等を考慮した状態で印刷を行い、また、本文５０１の本文画像領域５０１Ｇを、断裁の容易さを考慮して、上下方向について、センタリングして印刷してもよい。
【００９５】
ステップＳ１００４で、本文最終ページの印刷が完了すると、レーザプリンタ３００は、本文５０１の全ページの印刷で用いた用紙の種別とその用紙枚数からＮＶＲＡＭ３１８の用紙厚さテーブルを参照して、外装用紙５１０の背表紙５１２の幅（背表紙幅）ＨＷ４（図１５参照）を決定し（ステップＳ１００５）、該背表紙幅ＨＷ４から外装用紙５１０の表紙５１１、背表紙５１２及び裏表紙５１３の描画領域を決定する（ステップＳ１００６）。なお、この背表紙５１２の幅（背表紙幅）の決定は、上記説明した方法に限るものではなく、例えば、上記各実施例で説明した方法を適宜用いることができる。
【００９６】
レーザプリンタ３００は、外装用紙５１０の表紙５１１、背表紙５１２及び裏表紙５１３の描画領域を決定すると、ホスト装置ＨＳから受信した外装用紙Ｐ５１０用の印刷データまたは既にホスト装置ＨＳから受信して大容量記憶装置３１５に保存されている外装用紙５１０用の印刷データを、ビデオデータに変換して、ＲＡＭ３１７上に表紙５１１、背表紙５１２及び裏表紙５１３用のメモリ画像として展開し（ステップＳ１００７）、該メモリ画像をプリンタエンジン３４０に転送して、プリンタエンジン３４０が、指定の給紙トレイの外装用紙に該メモリ画像を印刷出力して、該画像を印刷した外装用紙５１０を製本機４００に送る（ステップＳ１００８）。
【００９７】
製本機４００は、糊付け部４０１で、糊付け部４０１に順次載置した製本対象の本文５０１の用紙を、該本文５０１の用紙束の左側または右側のうち綴じ側の束幅方向に印刷済の外装用紙５１０が位置するように合わせて該外装用紙５１０で包むように糊付けし、本文５０１の用紙束を糊付けした外装用紙５１０と本文５０１の背表紙５１２側以外の３辺を、図１５に示すように、断裁部４０２で断裁して、指定サイズに製本した後、図示しない製本排紙部に排出する（ステップＳ１００９）。
【００９８】
すなわち、レーザプリンタ３００は、本文５０１を全ページ印刷し終わると、図１５に示す外装用紙５１０の背表紙５１２の幅ＨＷ４を決定する。この背表紙５１２の幅ＨＷ４の決定は、上述のように、本文５０１の全ページの印刷で用いた用紙の種別とその用紙枚数からＮＶＲＡＭ３１８の用紙厚さテーブルを参照して決定してもよいし、本文５０１の用紙束の厚さを、センサ等で直接計測し、該用紙束の厚さに基づいて決定してもよい。また、レーザプリンタ３００は、本文５０１の用紙束の厚みに基づく背表紙５１２の幅ＨＷ４を算出する場合には、本文５０１の印刷に使用する用紙種別とその枚数が印刷前に分かっているので、実際に本文５０１を印刷する前に、決定してもよい。
【００９９】
次に、レーザプリンタ３００は、背表紙５１２の幅ＮＷ４と仕上がりサイズから、表紙５１１、裏表紙５１３の画像領域の位置・大きさを算出し、表紙５１１、背表紙５１２及び裏表紙５１３用の印刷データをビデオデータに変換して、１枚の用紙である外装用紙５１０用に、ＲＡＭ３１７にメモリ画像として展開する。レーザプリンタ３００は、この外装用紙５１０用のメモリ画像をプリンタエンジン３４０に転送して、プリンタエンジン３４０が、指定の給紙トレイの外装用紙に該メモリ画像に基づいて印刷出力して、該画像を印刷した外装用紙５１０を製本機４００に送る。
【０１００】
レーザプリンタ３００は、外装用紙５１０への表紙５１１、背表紙５１２及び裏表紙５１３の画像の印刷を、ホスト装置ＨＳから本文５０１の画像とともにページ順に送られてきて、大容量記憶装置３１５に蓄積しておいた表紙５１１、背表紙５１２及び裏表紙５１３用の画像を用いて行うが、ホスト装置ＨＳ側で印刷順に順番を入れ替えて最後に表紙５１１、背表紙５１２及び裏表紙５１３用の画像がレーザプリンタ３００に送信されてくるようにして、該送信されてきた表紙５１１、背表紙５１２及び裏表紙５１３用の画像を用いて印刷するようにしてもよい。
【０１０１】
ところが、製本印刷においては、本文５０１のサイズは、断裁を考慮しても、仕上がりサイズとほぼ同じであるため、本文５０１の画像サイズと仕上がりサイズとの間には問題が生じることはないが、背表紙５１２の描画領域のサイズは、本文５０１の用紙束の厚みによって変わるため、背表紙５１２の描画領域のサイズを予測することが困難である。
【０１０２】
そのため、予め見込みで作成した背表紙５１２用の描画領域のサイズと背表紙５１２の画像のサイズ（画像情報サイズ）との間に相違が生じる場合があり、この場合、描画領域と画像サイズとが異なったまま背表紙５１２と表紙５１１及び裏表紙５１３の画像をそれぞれセンタリングしてＲＡＭ３１７上に展開して印刷すると、背表紙５１２と表紙５１１との画像及び背表紙５１２と裏表紙５１３との画像が重なり合って印刷されることとなり、外装養子５１０の印刷品質が低下する。
【０１０３】
そこで、本実施例のレーザプリンタ３００は、図１６に示すように、背表紙５１２用の画像のサイズが本文５０１の厚さに基づいて決定した背表紙５１２の描画領域よりも大きいと、背表紙５１２用の画像サイズを該決定した背表紙５１２の描画領域に合わせてカットして、背表紙５１２の画像を印刷する。なお、図１６においては、上記図１３の外装用紙画像形成制御処理のフローチャートと同様の処理ステップには、同一のステップナンバを付してその説明を簡略化する。  
【０１０４】
すなわち、レーザプリンタ３００のコントローラ３１０は、図１６に示すように、ホスト装置ＨＳから受信した製本対象の本文５０１の各ページの印刷データを順次ＲＡＭ３１７にビデオデータに変換してメモリ画像として展開して、エンジンプリンタ３４０で本文５０１用の用紙に印刷して（ステップＳ１００１〜Ｓ１００４）、本文最終ページまで印刷すると、本文５０１の全ページの印刷で用いた用紙の種別とその用紙枚数からＮＶＲＡＭ３１８の用紙厚さテーブルを参照して、外装用紙５１０の背表紙５１２の幅（背表紙幅）ＨＷ４を決定する（ステップＳ１００５）。
【０１０５】
コントローラ３１０は、該決定した背表紙幅ＨＷ４から外装用紙５１０の表紙５１１、背表紙５１２及び裏表紙５１３の描画領域を決定し（ステップＳ１００６）、外装用紙５１０の表紙５１１、背表紙５１２及び裏表紙５１３の描画領域を決定すると、外装用紙Ｐ５１０用の印刷データを、ビデオデータに変換して、ＲＡＭ３１７上に表紙５１１、背表紙５１２及び裏表紙５１３用のメモリ画像として展開する（ステップＳ１００７）。
【０１０６】
コントローラ３１０は、該展開した背表紙５１２用のメモリ画像のサイズがステップＳ１００６で決定した背表紙５１２用の描画領域のサイズよりも大ききかチェックし（ステップＳ１１０１）、背表紙５１２用のメモリ画像のサイズが描画領域のサイズよりも大きいと、該背表紙５１２用のメモリ画像を、描画領域からはみ出す部分をカットして、ＲＡＭ３１７上にビデオデータを作成してメモリ画像として展開し直す（ステップＳ１１０２）。
【０１０７】
コントローラ３１０は、該展開し直した背表紙５１２用のメモリ画像及び表紙５１１と裏表紙５１３のメモリ画像をプリンタエンジン３４０に転送して、プリンタエンジン３４０が、指定の給紙トレイの外装用紙に該メモリ画像を印刷出力して、該画像を印刷した外装用紙５１０を製本機４００に送り（ステップＳ１００８）、製本機４００が、本文５０１の用紙を該印刷済の外装用紙５１０で包んで、断裁して製本した後、製本排紙部に排出する（ステップＳ１００９）。
【０１０８】
このように、本実施例のレーザプリンタ３００は、背表紙５１２用の画像情報（印刷データ：メモリ画像）のサイズと特定した背表紙用画像形成領域である背表紙５１２の描画領域のサイズを比較して、該背表紙用メモリ画像の方が大きいと、該背表紙用メモリ画像のうち該背表紙用描画領域に対応するメモリ画像部分のみを取り出して該背表紙用描画領域に印刷（画像形成）している。
【０１０９】
したがって、少なくとも本文を包む外装用紙５１０の背表紙用メモリ画像が背表紙５１２の描画領域からはみ出すのを防止して、背表紙５１２の描画領域への印刷を適切に行うことができ、外装用紙５１０の画像品質を向上させることができる。
【０１１０】
なお、表紙５１１用のメモリ画像や裏表紙５１３用のメモリ画像サイズが、それぞれの描画領域のサイズよりも大きい場合には、各メモリ画像をその描画領域にセンタリングしてＲＡＭ３１７上に展開されて印刷すると、背表紙５１２のメモリ画像と重なり合って印刷されることとなるため、これらの表紙５１１用のメモリ画像及び裏表紙５１３のメモリ画像についても、背表紙５１２のメモリ画像と重なり圧部分について、カットしてメモリ画像を生成して印刷するようにしてもよい。
【０１１１】
この場合、表紙５１１用のメモリ画像及び裏表紙５１３用のメモリ画像は、背表紙５１２側以外の３辺側においてその描画領域からはみ出す部分については、あえてＲＡＭ３１７上でメモリ画像として展開する際にカットしなくても、断裁によって切り取られるため、背表紙５１２側以外の３辺側については、メモリ画像をカットする必要がない。
【０１１２】
また、背表紙５１２のメモリ画像についても、表紙５１１側及び裏表紙５１３側以外の上下のメモリ画像は、背表紙５１２の描画領域からはみ出す部分については、あえてＲＡＭ３１７上でメモリ画像として展開する際にカットしなくても、断裁によって切り取られるため、表紙５１１及び裏表紙５１３側以外の上下のメモリ画像については、メモリ画像をカットしなくてもよい。
【実施例７】
【０１１３】
図１７は、本発明の画像形成装置、画像形成装置の制御方法、画像形成装置の制御プログラム及び記憶媒体の第７実施例を適用したレーザプリンタによる外装用紙画像形成制御処理を示すフローチャートである。
【０１１４】
なお、本実施例は、上記第６実施例のレーザプリンタ３００と同様のレーザプリンタに適用したものであり、本実施例の説明においては、必要に応じて、第６実施例の説明で餅田符号をそのまま用いて説明する。また、上記第６実施例の図１３の外装用紙画像形成制御処理のフローチャートと同様の処理ステップには、同一のステップナンバを付してその説明を簡略化する。
【０１１５】
本実施例のレーザプリンタは、ホスト装置ＨＳから受信した背表紙５１２用の画像のサイズが本文５０１の厚さに基づいて決定した背表紙５１２の描画領域よりも大きいと、背表紙５１２用の画像サイズを該決定した背表紙５１２の描画領域に合わせて変倍して、背表紙５１２の画像を印刷する。
【０１１６】
すなわち、レーザプリンタ３００は、そのコントローラ３１０が、図１７に示すように、ホスト装置ＨＳから受信した製本対象の本文５０１の各ページの印刷データを順次ＲＡＭ３１７にビデオデータに変換してメモリ画像として展開して、エンジンプリンタ３４０で本文５０１用の用紙に印刷して（ステップＳ１００１〜Ｓ１００４）、本文最終ページまで印刷すると、本文５０１の全ページの印刷で用いた用紙の種別とその用紙枚数からＮＶＲＡＭ３１８の用紙厚さテーブルを参照して、外装用紙５１０の背表紙５１２の幅（背表紙幅）ＨＷ４を決定する（ステップＳ１００５）。
【０１１７】
コントローラ３１０は、該決定した背表紙幅ＨＷ４から外装用紙５１０の表紙５１１、背表紙５１２及び裏表紙５１３の描画領域を決定し（ステップＳ１００６）、外装用紙５１０の表紙５１１、背表紙５１２及び裏表紙５１３の描画領域を決定すると、外装用紙Ｐ５１０用の印刷データを、ビデオデータに変換して、ＲＡＭ３１７上に表紙５１１、背表紙５１２及び裏表紙５１３用のメモリ画像として展開する（ステップＳ１００７）。
【０１１８】
コントローラ３１０は、該展開した背表紙５１２用のメモリ画像のサイズがステップＳ１００６で決定した背表紙５１２用の描画領域のサイズよりも大ききかチェックし（ステップＳ１２０１）、背表紙５１２用のメモリ画像のサイズが描画領域のサイズよりも大きいと、該背表紙５１２用のメモリ画像を、該描画領域のサイズに合わせて変倍して、ＲＡＭ３１７上にビデオデータを作成してメモリ画像として展開し直す（ステップＳ１２０２）。この変倍処理においては、背表紙５１２用のメモリ画像のサイズと描画領域のサイズの大きさによって画像を拡大する場合と画像を縮小する場合があり、画像の拡大処理では、例えば、画素の挿入によって行い、画像の縮小処理では、画素の間引きによって行う。
【０１１９】
コントローラ３１０は、該展開し直した背表紙５１２用のメモリ画像及び表紙５１１と裏表紙５１３のメモリ画像をプリンタエンジン３４０に転送して、プリンタエンジン３４０が、指定の給紙トレイの外装用紙に該メモリ画像を印刷出力して、該画像を印刷した外装用紙５１０を製本機４００に送り（ステップＳ１００８）、製本機４００が、本文５０１の用紙を該印刷済の外装用紙５１０で包んで、断裁して製本した後、製本排紙部に排出する（ステップＳ１００９）。
【０１２０】
このように、本実施例のレーザプリンタ３００は、背表紙５１２用の画像情報（メモリ画像）のサイズと特定された背表紙５１２用の描画領域（背表紙用画像形成領域）のサイズを比較して、該背表紙５１２用のメモリ画像のサイズと該背表紙５１２用の描画領域のサイズが異なると、該背表紙５１２用のメモリ画像を該背表紙５１２用の描画領域のサイズに合わせて変倍処理し、該変倍処理した背表紙５１２用のメモリ画像を用いて該背表紙５１２用の描画領域に印刷（画像形成）している。
【０１２１】
したがって、少なくとも本文を包む外装用紙５１０の背表紙５１２用のメモリ画像が背表紙５１２の描画領域からはみ出すのをより一層適切に防止して、背表紙５１２の描画領域への印刷をより一層適切に行うことができ、外装用紙５１０の画像品質をより一層向上させることができる。
【０１２２】
なお、表紙５１１用のメモリ画像や裏表紙５１３用のメモリ画像サイズが、それぞれの描画領域のサイズよりも大きい場合には、各メモリ画像をその描画領域にセンタリングしてＲＡＭ３１７上に展開させて印刷すると、背表紙５１２のメモリ画像と重なり合って印刷されることとなるため、これらの表紙５１１用のメモリ画像及び裏表紙５１３のメモリ画像についても、その描画領域のサイズに合わせて変倍処理するようにしてもよい。
【０１２３】
また、上記説明においては、背表紙５１２用のメモリ画像のサイズがその描画領域のサイズよりも大きい場合、また、表紙５１１用のメモリ画像や裏表紙５１３用のメモリ画像サイズが、それぞれの描画領域のサイズよりも大きい場合について説明したが、逆に、背表紙５１２用のメモリ画像のサイズがその描画領域のサイズよりも小さい場合、また、表紙５１１用のメモリ画像や裏表紙５１３用のメモリ画像サイズが、それぞれの描画領域のサイズよりも小さい場合にも、同様に、それぞれのメモリ画像をそれぞれの描画領域のサイズに合わせて変倍処理してもよい。
【０１２４】
さらに、上記変倍処理においては、メモリ画像の幅と高さを描画領域の対応する幅と高さにそれぞれ合わせて変倍するものとしているが、メモリ画像の幅と高さが、その描画領域の対応する幅と高さとのずれ量が異なる場合には、メモリ画像の幅と高さのうち一方がその描画領域の対応する幅または高さに一致するサイズに変倍処理しても、メモリ画像の幅または高さがその描画領域の幅または高さとは異なることとなる。この場合、メモリ画像の幅と高さのうち、該メモリ画像を描画領域の幅または高さのサイズと一致させて変倍した場合に、該一致させていないメモリ画像の幅または高さが描画領域の対応する幅または高さよりも小さいサイズとなるように、変倍処理を行う。
【実施例８】
【０１２５】
図１８及び図１９は、本発明の画像形成装置、画像形成装置の制御方法、画像形成装置の制御プログラム及び記憶媒体の第８実施例を示す図であり、図１８は、本実施例を適用したレーザプリンタのＮＶＲＡＭ３１８に格納されているフォントサイズテーブルの一例を示す図、図１９は、本実施例を適用したレーザプリンタによる外装用紙画像形成制御処理を示すフローチャートである。
【０１２６】
なお、本実施例は、上記第６実施例のレーザプリンタ３００と同様のレーザプリンタに適用したものであり、本実施例の説明においては、必要に応じて、第６実施例の説明で餅田符号をそのまま用いて説明する。また、上記第６実施例の図１３の外装用紙画像形成制御処理のフローチャートと同様の処理ステップには、同一のステップナンバを付してその説明を簡略化する。
【０１２７】
本実施例のレーザプリンタは、本文５０１の厚さ等に基づいて決定した背表紙５１２の描画領域の大きさに基づいて背表紙５１２の画像のフォントサイズを決定して印刷する。
【０１２８】
本実施例のレーザプリンタ３００は、そのＮＶＲＡＭ３１８に、図１８に示すようなフォントサイズテーブル３５０を格納しており、フォントサイズテーブル３５０は、背表紙幅と該背表紙幅の背表紙５１２の印刷に用いるフォントサイズを対応させたテーブルである。すなわち、背表紙５１２の印刷に用いられるフォントサイズは、その背表紙５１２の幅に適したフォントサイズがあり、この背表紙５１２の幅とフォントサイズを予めフォントサイズテーブル３５０としてＮＶＲＡＭ３１８に格納して、決定した背表紙５１２の幅に基づいてフォントサイズテーブル３５０を参照して背表紙５１２の印刷で用いるフォントサイズを決定して、背表紙５１２の画像を印刷する。
【０１２９】
すなわち、レーザプリンタ３００は、図１９に示すように、ホスト装置ＨＳから受信した製本対象の本文５０１の各ページの印刷データを順次ＲＡＭ３１７にビデオデータに変換してメモリ画像として展開して、エンジンプリンタ３４０で本文５０１用の用紙に印刷して（ステップＳ１００１〜Ｓ１００４）、本文最終ページまで印刷すると、本文５０１の全ページの印刷で用いた用紙の種別とその用紙枚数からＮＶＲＡＭ３１８の用紙厚さテーブルを参照して、外装用紙５１０の背表紙５１２の幅（背表紙幅）を決定する（ステップＳ１００５）。
【０１３０】
レーザプリンタ３００は、該決定した背表紙幅から外装用紙５１０の表紙５１１、背表紙５１２及び裏表紙５１３の描画領域を決定し（ステップＳ１００６）、外装用紙５１０の表紙５１１、背表紙５１２及び裏表紙５１３の描画領域を決定すると、該決定した背表紙５１２の描画領域の幅に合わせて該背表紙５１２で用いるフォントサイズを選択する（ステップＳ１３０１）。すなわち、レーザプリンタ３００は、背表紙５１２の描画領域の幅を決定すると、該背表紙５１２の描画領域の幅に基づいてＮＶＲＡＭ３１８のフォントサイズテーブル３５０を参照して、該背表紙５１２の描画領域の幅に対応するフォントサイズを選択して、該フォントサイズを背表紙５１２の印刷に用いるフォントのフォントサイズとして決定する。
【０１３１】
レーザプリンタ３００は、外装用紙Ｐ５１０用の印刷データを、ビデオデータに変換して、ＲＡＭ３１７上に表紙５１１、背表紙５１２及び裏表紙５１３用のメモリ画像として展開する（ステップＳ１００７）。このとき、レーザプリンタ３００は、背表紙５１２の印刷データのビデオデータへの変換においては、上記ステップＳ１３０１で決定したフォントサイズのフォントを用いる。
【０１３２】
レーザプリンタ３００は、該展開した背表紙５１２用のメモリ画像及び表紙５１１と裏表紙５１３のメモリ画像をプリンタエンジン３４０に転送して、プリンタエンジン３４０が、指定の給紙トレイの外装用紙５１０に該メモリ画像を印刷出力して、該画像を印刷した外装用紙５１０を製本機４００に送り（ステップＳ１００８）、製本機４００が、本文５０１の用紙を該印刷済の外装用紙５１０で包んで、断裁して製本した後、製本排紙部に排出する（ステップＳ１００９）。
【０１３３】
このように、本実施例のレーザプリンタ３００は、特定された背表紙５１２用の描画領域のサイズに基づいて背表紙５１２用のメモリ画像のフォントサイズを選択して該背表紙５１２の描画領域への印刷を行っている。
【０１３４】
したがって、背表紙５１２のサイズに適したフォントサイズを選択して印刷することができ、より一層画像品質を向上させることができる。
【０１３５】
なお、上記説明では、背表紙５１２で用いるフォントサイズについて説明したが、表紙５１１や裏表紙５１３の印刷で用いるフォントサイズについても、表紙５１１や裏表紙５１３の描画領域の大きさに基づいてフォントサイズを決定するようにしてもよい。
【０１３６】
また、上記説明では、背表紙５１２の幅に基づいてフォントサイズを決定しているが、背表紙５１２の幅と高さに基づいて、フォントの縦横のサイズや線幅等を決定するようにしてもよい。
【０１３７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１３８】
本発明は、本文の厚さに合わせて外装用紙の背表紙等を印刷する画像形成装置、画像形成装置の制御方法、画像形成装置の制御プログラム及び記憶媒体に利用することができる。
【図面の簡単な説明】
【０１３９】
【図１】本発明の第１実施例を適用した画像形成装置の全体構成を示すブロック図。
【図２】本実施例に係る用紙テーブルに含まれる情報例を示す図。
【図３】本実施例に係る画像形成装置の動作を示すフローチャート。
【図４】本実施例に係る画像読取装置が受信する印刷ジョブに含まれる情報例を示す図。
【図５】本実施例に係る文書束及び外装用紙を模式的に示す斜視図。
【図６】本実施例に係る外装用紙を模式的に示す平面図である。
【図７】本発明の第２実施例に係る画像形成装置の動作を示すフローチャート。
【図８】本発明の第３実施例に係る画像形成装置の動作を示すフローチャート。
【図９】本発明の第４実施例に係る画像形成装置の動作を示すフローチャート。
【図１０】本発明の第６実施例を適用したレーザプリンタ及び製本機の概略構成正面図。
【図１１】図１０のレーザプリンタのブロック構成図。
【図１２】図１０の製本機による製本動作の説明図。
【図１３】図１１のレーザプリンタによる外装用紙画像形成制御処理を示すフローチャート。
【図１４】図１０の製本機による本文の断裁処理の説明図。
【図１５】図１０の製本機による外装用紙の表紙、背表紙及び裏表紙の描画領域と断裁処理の説明図。
【図１６】図１１のレーザプリンタによる画像カット処理を伴う外装用紙画像形成制御処理を示すフローチャート。
【図１７】本発明の第７実施例を適用したレーザプリンタによる画像変倍処理を伴う外装用紙画像形成制御処理を示すフローチャート。
【図１８】本発明の第８実施例を適用したレーザプリンタに格納されているフォントサイズテーブルの一例を示す図。
【図１９】本発明の第８実施例を適用したレーザプリンタによるフォントサイズ制御処理を伴う外装用紙画像形成制御処理を示すフローチャート。
【符号の説明】
【０１４０】
１    画像形成装置
２    製本機
３    文書束
４    外装用紙
４ａ    表紙面
４ｂ    背表紙面
４ｃ    裏表紙面
４ｄ    余白面
１００    スキャナユニット
１０１    ＡＤＦ
１０２    撮像部
１０３    排紙トレイ
１１０    コントローラ
１１１    主制御部
１１２    画像処理部
１１３    用紙テーブル
１１４    入力制御部
１１５    エンジン制御部
１１６    後処理制御部
１２０    プリンタユニット
１２１    給紙トレイ
１２２    プリントエンジン
１２３    排紙トレイ
１３０    ホストＩ／Ｆ
１４０    ディスプレイパネル
２０１    コントローラ
２０２    製本エンジン
２０３    排出トレイ
３００    レーザプリンタ
３０１    本体部
３０２    本体給紙部
３１０    コントローラ
３３０    操作パネル
３４０    プリンタエンジン
３１１    ホストＩ／Ｆ
３１２    プログラムＲＯＭ
３１３    フォントＲＯＭ
３１４    パネルＩ／Ｆ
３１５    大容量記憶装置
３１６    ＣＰＵ
３１７    ＲＡＭ
３１８    ＮＶＲＡＭ
３１９    エンジンＩ／Ｆ
３２０    オプションＲＡＭ
３２１    バス
３５０    フォントサイズテーブル
４００    製本機
４０１    糊付け部
４０２    断裁部
５０１    本文（中紙）
５１１    表紙
５１２    背表紙
５１３    裏表紙
５１０    外装用紙
５０１Ｇ    本文画像領域
ＨＳ    ホスト装置
【図１】
2008268818.tif 000003
【図２】
2008268818.tif 000004
【図３】
2008268818.tif 000005
【図４】
2008268818.tif 000006
【図５】
2008268818.tif 000007
【図６】
2008268818.tif 000008
【図７】
2008268818.tif 000009
【図８】
2008268818.tif 000010
【図９】
2008268818.tif 000011
【図１０】
2008268818.tif 000012
【図１１】
2008268818.tif 000013
【図１２】
2008268818.tif 000014
【図１３】
2008268818.tif 000015
【図１４】
2008268818.tif 000016
【図１５】
2008268818.tif 000017
【図１６】
2008268818.tif 000018
【図１７】
2008268818.tif 000019
【図１８】
2008268818.tif 000020
【図１９】
2008268818.tif 000021